(57)【要約】【課題】直感的にタッチ操作を行うことができ、しかも、誤操作を防止することができるタッチパネルを提供する。【解決手段】デバイス機能選択のための操作ボタンを一画面中に複数表示したタッチスイッチ方式のタッチパネル６であって、複数の操作ボタンの任意の一つを先にタッチしたまま、先にタッチした操作ボタンの表示エリアと同一表示エリア又は先にタッチした操作ボタンの表示エリアとは異なる表示エリアをダブルタッチすることにより先にタッチした操作ボタンに対応するデバイス機能が実行される。【選択図】      図４
2009026176.tif 000002
【特許請求の範囲】
【請求項１】
デバイス機能選択のための操作ボタンを一画面中に複数表示したタッチスイッチ方式のタッチパネルであって、
前記複数の操作ボタンの任意の一つを先にタッチしたまま他の部位をダブルタッチすることにより前記先にタッチした操作ボタンに対応するデバイス機能が実行されることを特徴とするタッチパネル。
【請求項２】
前記他の部位は、前記先にタッチした操作ボタンの表示エリアと同一表示エリアであることを特徴とする請求項１に記載のタッチパネル。
【請求項３】
前記他の部位は、前記先にタッチした操作ボタンの表示エリアとは異なる表示エリアであることを特徴とする請求項１に記載のタッチパネル。
【請求項４】
前記先にタッチした操作ボタンよりも右側の表示エリアをダブルタッチした場合にはマウスの右クリックに相当し、前記先にタッチした操作ボタンよりも左側の表示エリアをダブルタッチした場合にはマウスの左クリックに相当することを特徴とする請求項１乃至請求項３の何れかに記載のタッチパネル。
【請求項５】
前記操作ボタンの表示が先にタッチした時点で反転することを特徴とする請求項１乃至請求項４に記載のタッチパネル。
【発明の詳細な説明】
【技術分野】
【０００１】
本発明は、デバイス機能選択のための操作ボタンを一画面中に複数表示したタッチスイッチ方式のタッチパネルに関する。
【背景技術】
【０００２】
従来から、画像形成装置の操作パネルやＡＴＭ用操作パネル等には、デバイス機能選択のための操作ボタンを一画面中に複数表示したタッチスイッチ方式の表示パネル（以下、「タッチパネル」と称する。）を採用したものが周知である。
【０００３】
このタッチパネルには、複数の操作ボタンが操作内容識別用の文字や図柄と共に表示され、その操作ボタンを押圧（タッチ）することにより、タッチセンサがタッチ位置を判別して操作ボタンに対応したデバイス機能等が実行される。
【０００４】
しかしながら、このようなタッチパネルは、何らかの拍子に指や手荷物等が操作ボタンに触れてしまったり、操作を急ぐ余りに誤って異なる操作ボタンをタッチしてしまうと、デバイス機能が不測に実行されてしまうという問題が生じていた。
【０００５】
一方、上述したタッチパネルにあっては、例えば、パーソナルコンピュータに接続されたマウス等のポインティングデバイスのクリック操作に相当するタッピング操作は、一つのボタン操作を実現するだけであることから、その汎用性を向上させるため、マウスの左右ボタンとクリック回数（シングルクリックとダブルクリック）とを組み合わせた操作を実現するタッチパネルが知られている（例えば、特許文献１，２参照。）。
【０００６】
また、タッチパネルに表示された任意の操作ボタンをタッチすると、その任意の操作ボタンに対応したデバイス機能選択画面を他の表示エリアにポップアップ表示させ、先に選択した操作ボタンをタッチしたまま新たに表示されたデバイス機能選択画面をタッチするタッチパネルも提案されている（例えば、特許文献３参照）。
【特許文献１】特開２０００−  ４９１２号公報
【特許文献２】特開２００１−  １４１０１号公報
【特許文献３】特開２００４−２３４６６１号公報
【発明の開示】
【発明が解決しようとする課題】
【０００７】
ところが、上記の如く構成されたタッチパネルにあっては、例えば、特許文献１，２に開示のタッチパネルにあっては、マウスに相当する機能をタッチパネルに具備させるという拡張機能を実現するもので、操作が複雑であるうえ、何らかの拍子にペン等の小物をタッチパネルに落としてしまった場合等、任意の操作ボタンとして認識するエリア内で２回連続してタッチ操作してしまうとデバイス機能を実行してしまう等のように、誤操作防止機能を具備したものではなかった。
【０００８】
また、特許文献３に開示の技術においても、実質的に１タッチ（特に、物を落としたままの状態）で他のデバイス機能選択画面をポップアップ表示してしまうため、誤操作防止機能を具備したものとはいい難かった。
【０００９】
そこで、本発明は、上記事情を考慮し、直感的にタッチ操作を行うことができ、しかも、誤操作を防止することができるタッチパネルを提供することを目的とする。
【課題を解決するための手段】
【００１０】
本発明のタッチパネルは、デバイス機能選択のための操作ボタンを一画面中に複数表示したタッチスイッチ方式のタッチパネルであって、前記複数の操作ボタンの任意の一つを先にタッチしたまま他の部位をダブルタッチすることにより前記先にタッチした操作ボタンに対応するデバイス機能が実行されることを特徴とする。
【００１１】
この際、前記他の部位は、前記先にタッチした操作ボタンの表示エリアと同一表示エリアとしても良いし、前記先にタッチした操作ボタンの表示エリアとは異なる表示エリアとしても良い。
【００１２】
また、前記先にタッチした操作ボタンよりも右側の表示エリアをダブルタッチした場合にはマウスの右クリックに相当し、前記先にタッチした操作ボタンよりも左側の表示エリアをダブルタッチした場合にはマウスの左クリックに相当させても良い。
【００１３】
この際、前記操作ボタンの表示が先にタッチした時点で反転するのが好ましい。
【発明の効果】
【００１４】
本発明のタッチパネルは、直感的にタッチ操作を行うことができ、しかも、誤操作を防止することができる。
【発明を実施するための最良の形態】
【００１５】
次に、本発明の一実施形態に係るタッチパネルについて、画像形成装置に搭載された表示パネルに適用し図面を参照して説明する。
【００１６】
図１は本発明の一実施形態に係るタッチパネルを採用した画像形成装置の正面図、図２は本発明の一実施形態に係るタッチパネルの正面図、図３は本発明の一実施形態に係るタッチパネルの第１の操作状態の説明図、図４は本発明の一実施形態に係るタッチパネルの第２の操作状態の説明図である。
【００１７】
図１において、画像形成装置（複合機）１は、装置本体２の正面から引き出し可能な給紙カセット３，４と、複写機・ファクシミリ・スキャナの各種機能として原稿を読み取る際に使用する自動原稿送り装置５と、タッチスイッチ方式のタッチパネルとしての表示パネル６と、テンキー等の操作ボタン群７とを備えている。
【００１８】
表示パネル６には、図２に示すように、複数の操作ボタンが操作内容識別用の文字や図柄と共に表示され、その操作ボタンを押圧（タッチ）することにより、タッチセンサがタッチ位置を判別して操作ボタンに対応したデバイス機能（表示切替を含む）等が実行される。
【００１９】
また、表示パネル６は、タッチセンサのタッチ位置及びタッチ回数を識別することにより、そのタッチがユーザによる操作ボタンの押圧選択か、不測なタッチかを表示制御回路（図示せず）等によって判定する。
【００２０】
具体的には、図３に示すように、拡大縮小モードをデバイス機能として選択する場合、『拡大縮小』の操作ボタンを指先でタッチしたまま、図４に示すように、他の指先で先にタッチした操作ボタンとしての『拡大縮小』ボタンの表示エリアとは異なる表示エリアをダブルタッチすることにより、先にタッチした拡大縮小モードがデバイス機能として選択される。
【００２１】
従って、実質的に、一つのデバイス機能を選択する際には、３タッチ操作を必要とし、しかも、先の１タッチは継続したタッチ状態にないとならないことから、操作を急ぐ余りに誤って異なる操作ボタンをタッチしてしまったり、何らかの拍子に指や手荷物等が操作ボタンに複数回触れてしまっても、不測にデバイス機能が実行されるという誤操作を防止することができる。
【００２２】
尚、タッチ選択方式としては、特に、『拡大縮小』ボタンのように比較的大きな表示サイズの操作ボタンの場合、『拡大縮小』ボタンの任意の位置を指先でタッチしたまま、同一の『拡大縮小』ボタンの表示エリア内で他の指によりダブルタッチした場合にデバイス機能を実行しても良いし、『拡大縮小』ボタンの表示エリアとは異なる他の表示エリア（図４の状態）を他の指によりダブルタッチした場合にデバイス機能を実行しても良い。
【００２３】
この際、これら同一表示エリア内での他の指によるダブルタッチと、異なる表示エリア内での他の指によるダブルタッチとで次段のデバイス機能を異ならせる（たとえば、マウスの右クリック選択と左クリック選択に相当）ことも可能である。
【００２４】
また、先にタッチした操作ボタン（例えば、『拡大縮小』ボタン）よりも右側の表示エリアをダブルタッチした場合にはマウスの右クリックに相当し、先にタッチした操作ボタン（例えば、『拡大縮小』ボタン）よりも左側の表示エリアをダブルタッチした場合にはマウスの左クリックに相当させても良い。この際、操作ボタンに『右手』『左手』といった選択ボタンを設け、右手操作用と左手操作用とでマウス左右操作設定を逆に切り換えることも可能である。
【００２５】
さらに、操作ボタンの表示は、先にタッチした時点で背景色と文字色とを反転させることにより、どのデバイス機能を選択したのかを容易に認識することができ、誤操作防止効果を向上することができる。また、先にタッチ操作する指と後でダブルタッチ操作する指は何指でも構わないし、片手・両手を問わない。
【００２６】
ところで、上記実施の形態では、本発明のタッチパネルを画像形成装置１の表示パネル６に適用して説明したが、例えば、ＡＴＭのタッチパネルやモバイル機器・ゲーム機器等のように、タッチスイッチ方式の表示パネル（タッチパネル）全般に適用することができることは勿論である。
【図面の簡単な説明】
【００２７】
【図１】本発明の一実施形態に係るタッチパネルを採用した画像形成装置の正面図である。
【図２】本発明の一実施形態に係るタッチパネルの正面図である。
【図３】本発明の一実施形態に係るタッチパネルの第１の操作状態の説明図である。
【図４】本発明の一実施形態に係るタッチパネルの第２の操作状態の説明図である。
【符号の説明】
【００２８】
６…表示パネル（タッチパネル）
【図１】
2009026176.tif 000003
【図２】
2009026176.tif 000004
【図３】
2009026176.tif 000005
【図４】
2009026176.tif 000006